(57)【要約】      （修正有）【課題】異なる体型のユーザーや異なる姿勢であっても、スムーズに、背もたれパッドに靠れて、快適的になる背もたれパッドの構造を提供する。【解決手段】背もたれパッドの裏側に、調整座２の両歯状揺動アーム２２が、噛み合う固定板２１が固定され、その一側の歯状揺動アーム２２の一端が、軌道板３の板面３１に枢着され、もう一側の歯状揺動アーム２２の一端が、摺動板３３に枢着され、軌道板３の軌道３２に結合され、摺動板３３と軌道３２との間に、多段係止の設計を有し、摺動板３３の軌道３２に対する相対的な位置を調整することにより、両歯状揺動アーム２２の相対角度が変化され、これにより、背もたれパッドの前、後位置を、調整できる。【選択図】図２
0003194797.tif 000002
【実用新案登録請求の範囲】
【請求項１】
裏側において、調整座に、軌道板が結合されることにより、前後に調整できる背もたれパッドであって、
固定板に、二つの歯状揺動アームの歯面が、噛み合い、上記歯状揺動アームのもう一端が、枢着座を介して、軌道板の板面に固定され、上記歯状揺動アームのもう一端が、上記枢着座によって摺動板に結合される上記調整座と、
上記板面に、軌道が設置され、上記軌道に、多段に係止できるように上記摺動板が実装される上記軌道板と、が含有され、
上記両歯状揺動アームが、上記摺動板の移動により、相対的に角度を変化して、上記背もたれパッドの位置が調整される、
ことを特徴とする請求項1に記載の背もたれパッドの構造。
【請求項２】
上記軌道板の多段係止構造が、上記両歯状揺動アームの相対角度が変化して行き止められることを特徴とする請求項1に記載の背もたれパッドの構造。
【請求項３】
上記軌道板が、いすの底盤に結合されることを特徴とする請求項1に記載の背もたれパッドの構造。
【請求項４】
上記背もたれパッドが、前背板と後背板を対応して係合するように結合される構造であって、上記後背板に、背蓋を、対応して収納する摺動槽が形成され、上記摺動槽に形成された複数の欠け口から、摺動棒が、伸び出して、上記背蓋の外側にある突出耳に、摺動的に実装され、また、上記摺動棒の先端に、上記突出耳に抵当するバネが設けられ、これにより、上記固定板が、上記前背板の裏側に結合され、上記背蓋に、上記軌道板が収納されて、上記後背板が、上記前背板に結合されることにより、上記調整座が構成され、上記軌道板が、上記背もたれパッド内に収納され、上記後背板を利用して、上記背蓋に対して前後に摺動でき、上記固定板によって、上記背もたれパッドを、前後変位するように調整できることを特徴とする請求項1に記載の背もたれパッドの構造。
【考案の詳細な説明】
【技術分野】
【０００１】
本考案は、背もたれパッドの構造に関し、特に、背もたれパッドの裏側に、調整座の両歯状揺動アームが噛み合う固定板が実装され、両歯状揺動アームの一端が、それぞれ、軌道板の板面と軌道に実装される摺動板に枢着され、両歯状揺動アームの相対角度が調整されて固定されることにより、背もたれパッドの前後位置が変化され、異なる体付きや座る姿勢に合わせて、快適に、背もたれパッドに座れるものに関する。
【背景技術】
【０００２】
背もたれパッドは、いすの人体背部を支えるパッド体であり、人体背部を支持して、快適効果が得られるため、大部分いすは、背もたれパッドを有する構造で、上記背もたれパッドは、いすに固定されても、別に付けるものであっても、同じような機能が実現される。
【０００３】
しかしながら、従来の背もたれパッドの構造設計は、仰角を調整できる機能設計があっても、背もたれパッドの位置が、基本的に、変化できない（背もたれパッドが、仰角を調整する時、所定の支点で、角度を変化する）ため、一旦、ユーザーが、姿勢を変化するとき、或いは、体型が異なる時、従来の背もたれパッドは、ユーザーのニーズに満足できない（例えば、ユーザーがタイプライティングする時の姿勢は、前方へ傾くため、背部が、背もたれパッドから離れ、体型が小さいユーザーが、比較的に机に近づき、背部も、背もたれパッドに靠れる正確姿勢を維持できない）。そのため、大部分のユーザーが、外に背もたれパッドを購入していすと背部との間に設置して、双層背もたれパッドの状態になり、これは、お金を無駄にするだけでなく、外に購入された背もたれパッドも、使用姿勢に適合できることを保証されず（二つの背もたれパッドの大きさと厚さを変化できないため、ユーザーは、所定の姿勢に合わせて、一つや二つのパッドを選別することしかできない）、問題を、有効に解消できない。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案に係る背もたれパッドの構造は、背もたれパッドの裏側に、調整座を有し、二つの歯状揺動アームに噛み合う固定板が固定され、その一側にある歯状揺動アームの一端が、軌道板の板面に枢着され、もう一側にある歯状揺動アームの一端が、摺動板に枢着されて、軌道に位置し、摺動板と軌道との間において、多段係止的に、設計され、そのため、下記の効果が得られる。
【０００６】
本考案に係る背もたれパッドは、二つの歯状揺動アームが噛み合われて枢着される固定板によって、結合され、その一つの歯状揺動アームの一端が、軌道板の板面に枢着され、もう一つの歯状揺動アームの一端が、軌道の間にある摺動板に枢着され、摺動板と軌道との間に、多段係止の機能が発揮され、そのため、摺動板が押されて突起した両歯状揺動アームにより、背もたれパッドの位置が変化され、これにより、異なる体型のユーザーや異なる姿勢であっても、スムーズに、背もたれパッドに靠れて、快適的になる目的が実現される。
【０００７】
本考案に係る背もたれパッドの軌道板は、直接に、いすに組み立てられることができ、背もたれパッドに、前後変位の調整機能を持たせ、また、既存のいすにも、直接に購入して後付することができ、この時、本考案に係る背もたれパッドは、その軌道板が、従来のいすの背もたれパッドの前に抵当し、両歯状揺動アームの角度を変化することにより、前後距離を調整でき、従来のいすの背もたれパッドが人体工学的でない構造を、ユーザーのニーズに満足できるものに変身させる。
【課題を解決するための手段】
【０００８】
請求項１の考案は、裏側において、調整座に、軌道板が結合されることにより、前後に調整できる背もたれパッドであって、固定板に、二つの歯状揺動アームの歯面が、噛み合い、上記歯状揺動アームのもう一端が、枢着座を介して、軌道板の板面に固定され、上記歯状揺動アームのもう一端が、上記枢着座によって摺動板に結合される上記調整座と、上記板面に、軌道が設置され、上記軌道に、多段に係止できるように上記摺動板が実装される上記軌道板と、が含有され、上記両歯状揺動アームが、上記摺動板の移動により、相対的に角度を変化して、上記背もたれパッドの位置が調整されることを特徴とする請求項1に記載の背もたれパッドの構造である。
【０００９】
請求項２の考案は、上記軌道板の多段係止構造が、上記両歯状揺動アームの相対角度が変化して行き止められることを特徴とする請求項1に記載の背もたれパッドの構造である。
【００１０】
請求項３の考案は、上記軌道板が、いすの底盤に結合されることを特徴とする請求項1に記載の背もたれパッドの構造である。
【００１１】
請求項４の考案は、上記背もたれパッドが、前背板と後背板を対応して係合するように結合される構造であって、上記後背板に、背蓋を、対応して収納する摺動槽が形成され、上記摺動槽に形成された複数の欠け口から、摺動棒が、伸び出して、上記背蓋の外側にある突出耳に、摺動的に実装され、また、上記摺動棒の先端に、上記突出耳に抵当するバネが設けられ、これにより、上記固定板が、上記前背板の裏側に結合され、上記背蓋に、上記軌道板が収納されて、上記後背板が、上記前背板に結合されることにより、上記調整座が構成され、上記軌道板が、上記背もたれパッド内に収納され、上記後背板を利用して、上記背蓋に対して前後に摺動でき、上記固定板によって、上記背もたれパッドを、前後変位するように調整できることを特徴とする請求項1に記載の背もたれパッドの構造である。
【００１２】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１３】
本考案は、背もたれパッドの構造であり、背もたれパッド１の裏側において、調整座２によって、軌道板３が結合され、前後調整できる背もたれパッド１が構成され（図1のように）、調整座２は、両歯状揺動アーム２２の歯面２２１を噛み合うことにより、固定板２１に枢着され、その一つの歯状揺動アーム２２のもう一端が、枢着座２２２によって、軌道板３の板面３１に固定され、もう一つの歯状揺動アーム２２のもう一端が、枢着座２２３を介して、摺動板３３に結合される（図2と図3のように）。
【００１４】
軌道板３は、板面３１に軌道３２が設置され、軌道３２に沿って、摺動板３３が設置されることにより、多段係止が構成される。
【００１５】
上記の部材により、調整座２の固定板２１が、背もたれパッド１の裏側に結合され、背もたれパッド１が、調整座２にある両歯状揺動アーム２２の相対角度の開合により、変位できる。
【００１６】
本考案によれば、軌道板３の軌道３２と摺動板３３との間にある多段係止によって、調整され（図4のように、本考案に係る調整座２によって目的が実現できるが、多段係止機能の構造が多いため、多段係止の構造には、制限されることなく、ただ、実施例の実行可能性を明らかにするために、以下において、従来の構造を例として説明し、上記多段係止設計は、軌道３２の板面３１に、複数の連続的なはす歯槽３１１が形成され、摺動板３３に、バネ３３２によって、常に下へ押さえられた可動板３３３を収納する収納槽３３１が形成され、上記可動板３３３に、はす歯槽３１１に対応して貫設できる突出柱３３４が螺着され、そのため、摺動板３３が、軌道３２に対して、相対的に摺動する時、突出柱３３４が、はす歯槽３１１に沿って、移動して係止され、また、突出柱３３４が、はす歯槽３１１の上端にある直槽３１２に引かれた時、可動板３３３の一端が、収納槽３３１の凹み口３３５に滑り込み、これにより、バネ３３２の圧力が圧制されて、摺動板３３を、はす歯槽３１１の最底端に押し戻させ、この時、可動板３３３が、再び、凹み口３３５から滑り出し、そのため、突出柱３３４が、再び、スムーズに、はす歯槽３１１に沿って係止される機能を発揮でき）、そのため、摺動板３３が、軌道３２に沿って摺動することにより、両歯状揺動アーム２２が、角度を変化した時（両歯状揺動アーム２２は、歯面２２１で噛み合うため、連動できるが、枢着された固定板２１は、変位しない）、固定板２１と軌道板３との間のギャップも、それに対応して変化し、背もたれパッド１は、軌道板３に対して前後に調整される。
【００１７】
また、摺動板３３を推して、枢着座２２２に相対して変位させる時（軌道板３が固定されていても、直接に、背もたれパッド１を引いて摺動板３３が連動されてもよい）、姿勢が前傾きや小さい体型のユーザーに適合するように、両歯状揺動アーム２２を突起させて、ユーザーの背部に近づかせ（図5と図6のように）、あるいは、姿勢が後倒れや大きい体型のユーザーに適合するように、両歯状揺動アーム２２をやや平ら状態で、背もたれパッド１が、より裏側に位置させ、これにより、背もたれパッド１で、完璧にユーザーの背部を支持する目的が実現される。
【００１８】
また、本考案に係る背もたれパッド１は、直接に、その軌道板３で、従来のいすの背もたれパッドの前方に支持し、従来のいすの人体工学的でない問題を解消できる。また、背もたれパッド１が、直接に、その軌道板３によっていすに組み立てられて、いすに、前後位置調整機能を持たせ、（図7と図8のように、いすに組み立てられる時、軌道板３をやや長くすれば、あるいは、所定の角度を湾曲して、いすの底盤に結合でき、格別な技術を要しないため、説明を省略する）。
【００１９】
また、背もたれパッド１は、前、後背板１１、１２が、対応して係合する構造でもよく（図9のように）、後背板１２に、背蓋４を収納する摺動槽１２１が形成され、摺動槽１２１に、複数の欠け口が形成され、摺動棒１２２が、そこから伸び出して背蓋４の外側にある突出耳４１に結合し、また、摺動棒１２２の先端に、突出耳４１に抵当するバネ５が設置され、固定板２１が、前背板１１の裏側に結合され、このように、背蓋４に、軌道板３が収納されて、後背板１２が、前背板１１に係合されることにより、調整座２が形成され、軌道板３が、背もたれパッド１に収納されるため、組み立てられたいすの外観が美化され、また、後背板１２が、背蓋４に対して、相対的に前、後摺動できる特性を利用して（バネ５の圧力により、後背板１２と背蓋４との安定性が向上され、摺動する時のかたつきが低下されて、順調性が向上される）、これにより、調整座２の固定板２１を、前、後に変位調整を行う時（図10のように、固定板２１の変位によって、背もたれパッド１が、前へ調整されて連動される時、背もたれパッド１が、背蓋４に対して、相対的に摺動して、突出し、また、逆に、背もたれパッド１が、背蓋４に近づいて平整状になる）。
【００２０】
そのため、本考案は、より進歩的かつより実用的で、法に従って実用新案登録請求を出願する。
【００２１】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２２】
【図１】本考案の構造図
【図２】本考案に係る調整座の構造図
【図３】本考案に係る調整座の作動状態図
【図４】軌道板の構造図
【図５】本考案をいすにセットした時の状態図
【図６】本考案をいすにセットした時の使用状態図
【図７】本考案が組み立てられたいすの構造図
【図８】本考案が組み立てられたいすの使用状態図
【図９】本考案に係る背もたれパッドの構造図
【図１０】本考案の実施状態図
【符号の説明】
【００２３】
１  背もたれパッド
１１  前背板
１２  後背板
１２１  摺動槽
１２２  摺動棒
２  調整座
２１  固定板
２２  歯状揺動アーム
２２１  歯面
２２２  枢着座
２２３  枢着座
３  軌道板
３１  板面
３１１  はす歯槽
３１２  直槽
３２  軌道
３３  摺動板
３３１  収納槽
３３２  バネ
３３３  可動板
３３４  突出柱
３３５  凹み口
４  背蓋
４１  突出耳
５  バネ
【図１】
0003194797.tif 000003
【図２】
0003194797.tif 000004
【図３】
0003194797.tif 000005
【図４】
0003194797.tif 000006
【図５】
0003194797.tif 000007
【図６】
0003194797.tif 000008
【図７】
0003194797.tif 000009
【図８】
0003194797.tif 000010
【図９】
0003194797.tif 000011
【図１０】
0003194797.tif 000012